(57)【特許請求の範囲】
【請求項１】
不連続受信（ＤＲＸ）の動的設定方法であって、
端末（ＵＥ）が基地局により送信されたＤＲＸ周期使用指示を受信することと、
前記ＵＥが、受信したＤＲＸ周期使用指示が長ＤＲＸ周期使用指示であると判断したときには、長ＤＲＸ周期を使用することとを含み、
前記ＵＥが長ＤＲＸ周期を使用することは、前記ＵＥが長ＤＲＸ周期使用指示の内容或いはネットワーク側との約束設定に基づいて、長ＤＲＸ周期を静的又は動的に使用することを含み、
前記ＵＥが長ＤＲＸ周期使用指示を受信した時に、短ＤＲＸ周期を使用していると、ＵＥが長ＤＲＸ周期を静的に使用することは、ＵＥが、現在１つの短ＤＲＸ周期が終了した後に、短ＤＲＸ周期の使用を停止し、長ＤＲＸ周期を使用することを含み、或いは前記ＵＥが長ＤＲＸ周期使用指示を受信した時に、ＤＲＸ非アクティビティタイマーが運行していると、ＵＥが長ＤＲＸ周期を静的に使用することは、ＵＥが、ＤＲＸ非アクティビティタイマーがタイムアウトし又はＵＥがＤＲＸ命令メディアアクセス制御層制御情報元素（ｃｏｍｍａｎｄ  ＭＡＣ  ＣＥ）を受信した後に、短ＤＲＸ周期の使用を停止し、長ＤＲＸ周期を使用することを含み、或いは前記ＵＥが長ＤＲＸ周期使用指示を受信した時に、長ＤＲＸ周期を使用していると、ＵＥが長ＤＲＸ周期を静的に使用することは、ＵＥが、次回のＤＲＸ非アクティビティタイマーのタイムアウト又は次回にＤＲＸ  ｃｏｍｍａｎｄ  ＭＡＣ  ＣＥを受信した後に、短ＤＲＸ周期の使用を停止し、長ＤＲＸ周期を使用することを含み、
前記長ＤＲＸ周期を動的に使用することは、ＵＥが予め設定された時間内のみに短ＤＲＸ周期の使用を停止して長ＤＲＸ周期のみを使用し、予め設定された時間が切れた後に短ＤＲＸ周期の使用を回復することを指す不連続受信（ＤＲＸ）の動的設定方法。
【請求項２】
前記方法はさらに、
前記ＵＥが動的長ＤＲＸ周期使用タイマーを設置して予め設定された時間が切れたかどうかを判断し、該動的長ＤＲＸ周期使用タイマーが、ＵＥが長ＤＲＸ周期を使用し始める時にカウントし始め、或いはＵＥが長ＤＲＸ周期を使用し始めた後の１回目のＤＲＸ非アクティビティタイマーのタイムアウト又はＤＲＸ  ｃｏｍｍａｎｄ  ＭＡＣ  ＣＥを１回目に受信した時にカウントし始めることを含む請求項１に記載の方法。
【請求項３】
前記予め設定された時間は、サブフレームの整数倍の時間、又は長ＤＲＸ周期の整数倍の時間、又はＤＲＸ非アクティビティタイマーのタイムアウト回数又はＵＥがＤＲＸ  ｃｏｍｍａｎｄ  ＭＡＣ  ＣＥを受信した回数である請求項１に記載の方法。
【請求項４】
前記予め設定された時間は、基地局により無線リソース制御（ＲＲＣ）専用シグナリング又はメディアアクセス制御（ＭＡＣ）シグナリングによってＵＥに設定される請求項３に記載の方法。
【請求項５】
前記ＵＥが長ＤＲＸ周期使用指示を受信した時に、短ＤＲＸ周期を使用していると、ＵＥが長ＤＲＸ周期を動的に使用することは、ＵＥが、次回のＤＲＸ周期から、短ＤＲＸ周期の使用を停止して長ＤＲＸ周期を使用し、予め設定された時間が切れた後の最近１回のＤＲＸ非アクティビティタイマーのタイムアウト又は最近１回ＤＲＸ  ｃｏｍｍａｎｄ  ＭＡＣ  ＣＥを受信した時に、短ＤＲＸ周期の使用を回復することを含み、或いは、
前記ＵＥが長ＤＲＸ周期使用指示を受信した時に、ＤＲＸ非アクティビティタイマーが運行していると、ＵＥが長ＤＲＸ周期を動的に使用することは、ＵＥが、ＤＲＸ非アクティビティタイマーがタイムアウトし又はＵＥがＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近の１回のＤＲＸ非アクティビティタイマーのタイムアウト又は最近１回ＤＲＸ  ｃｏｍｍａｎｄ  ＭＡＣ  ＣＥを受信した時に、短ＤＲＸ周期の使用を回復することを含み、或いは、
ＵＥが長ＤＲＸ周期使用指示を受信した時に、長ＤＲＸ周期を使用していると、ＵＥが長ＤＲＸ周期を動的に使用することは、ＵＥが、次回のＤＲＸ非アクティビティタイマーのタイムアウト又は次回にＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近１回のＤＲＸ非アクティビティタイマーのタイムアウト又は最近１回ＤＲＸ  ｃｏｍｍａｎｄ  ＭＡＣ  ＣＥを受信した後に、短ＤＲＸ周期の使用を回復することを含む請求項３に記載の方法。
【請求項６】
前記方法はさらに、
前記ＵＥは、受信したＤＲＸ周期使用指示が短ＤＲＸ周期使用指示であれば、短ＤＲＸ周期を使用することを含む請求項１に記載の方法。
【請求項７】
前記ＵＥが短ＤＲＸ周期使用指示を受信した後、前記方法はさらに、前記ＵＥが、この前に長ＤＲＸ周期使用指示を受信したことがあると判断すれば、前記ＵＥが、該長ＤＲＸ周期使用指示が無効になったと認め、ＵＥが短ＤＲＸ周期の使用を回復することを含む請求項６に記載の方法。
【請求項８】
前記ＵＥが短ＤＲＸ周期を使用することは、前記ＵＥが、ＤＲＸ非アクティビティタイマーがタイムアウトしたと判断した時、又はＵＥがＤＲＸ  ｃｏｍｍａｎｄ  ＭＡＣ  ＣＥを受信した時、短ＤＲＸ周期を使用することを含む請求項６又は７に記載の方法。
【請求項９】
前記方法はさらに、
前記ＵＥが長ＤＲＸ周期使用指示を受信した後に、また短ＤＲＸ周期設定パラメータを含むＲＲＣ接続再設定シグナリングを受信した時に、前記ＵＥが、該長ＤＲＸ周期使用指示が無効になったと認め、ＵＥがＲＲＣ接続再設定シグナリングに含まれた短ＤＲＸ周期設定パラメータに応じて短ＤＲＸ周期を使用することを含む請求項１に記載の方法。
【請求項１０】
前記ＵＥが短ＤＲＸ周期の使用を停止することは、前記ＵＥがＤＲＸ短周期タイマーを０或いはタイムアウトに設定することを含む請求項１又は５に記載の方法。
【請求項１１】
不連続受信（ＤＲＸ）の動的設定を実現する端末であって、受信モジュールとＤＲＸモジュールを含み、
前記受信モジュールが、基地局により送信されたＤＲＸ周期使用指示を受信するように設置され、
前記ＤＲＸモジュールが、前記受信モジュールにより受信されたＤＲＸ周期使用指示が長ＤＲＸ周期使用指示であると判断すれば、長ＤＲＸ周期を使用するように設置され、
前記ＤＲＸモジュールが、長ＤＲＸ周期使用指示の内容或いはネットワーク側との約束設定に基づいて、長ＤＲＸ周期を静的又は動的に使用するとの方式で長ＤＲＸ周期を使用するように設置され、
前記受信モジュールが長ＤＲＸ周期使用指示を受信した時に、前記端末が短ＤＲＸ周期を使用していると、前記ＤＲＸモジュールが、現在１つの短ＤＲＸ周期が終了した後に、短ＤＲＸ周期の使用を停止し、長ＤＲＸ周期を使用するとの方式で長ＤＲＸ周期を静的に使用するように設置され、或いは、前記受信モジュールが長ＤＲＸ周期使用指示を受信した時に、前記端末のＤＲＸ非アクティビティタイマーが運行していると、前記ＤＲＸモジュールが、ＤＲＸ非アクティビティタイマーがタイムアウトし又はＤＲＸ命令メディアアクセス制御層制御情報元素（ｃｏｍｍａｎｄ  ＭＡＣ  ＣＥ）を受信した後に、短ＤＲＸ周期の使用を停止し、長ＤＲＸ周期を使用するとの方式で長ＤＲＸ周期を静的に使用するように設置され、或いは、前記受信モジュールが長ＤＲＸ周期使用指示を受信した時に、前記端末が長ＤＲＸ周期を使用していると、前記ＤＲＸモジュールが、次回のＤＲＸ非アクティビティタイマーのタイムアウト又は次回にＤＲＸ  ｃｏｍｍａｎｄ  ＭＡＣ  ＣＥを受信した後に、短ＤＲＸ周期の使用を停止し、長ＤＲＸ周期を使用するとの方式で長ＤＲＸ周期を静的に使用するように設置され、
前記長ＤＲＸ周期を動的に使用することは、予め設定された時間内のみに短ＤＲＸ周期の使用を停止して長ＤＲＸ周期のみを使用し、予め設定された時間が切れた後に短ＤＲＸ周期の使用を回復することを指す端末。
【請求項１２】
前記受信モジュールはさらに、前記基地局が無線リソース制御（ＲＲＣ）専用シグナリング又はメディアアクセス制御（ＭＡＣ）シグナリングによって設定した前記予め設定された時間を受信するように設置され、
前記端末はさらに、前記予め設定された時間が切れたかどうかを判断するように設置される動的長ＤＲＸ周期使用タイマーモジュールを含み、前記動的長ＤＲＸ周期使用タイマーモジュールは、ＵＥが長ＤＲＸ周期を使用し始める時にカウントし始め、或いはＵＥが長ＤＲＸ周期を使用し始めた後の１回目のＤＲＸ非アクティビティタイマーのタイムアウト又はＤＲＸ  ｃｏｍｍａｎｄ  ＭＡＣ  ＣＥを１回目に受信した時にカウントし始める請求項１１に記載の端末。
【請求項１３】
前記予め設定された時間は、サブフレームの整数倍の時間、又は長ＤＲＸ周期の整数倍の時間、又はＤＲＸ非アクティビティタイマーのタイムアウト回数又はＵＥがＤＲＸ  ｃｏｍｍａｎｄ  ＭＡＣ  ＣＥを受信した回数である請求項１１に記載の端末。
【請求項１４】
前記受信モジュールが長ＤＲＸ周期使用指示を受信した時に、前記端末が短ＤＲＸ周期を使用していると、前記ＤＲＸモジュールが、次回のＤＲＸ周期から短ＤＲＸ周期の使用を停止して長ＤＲＸ周期を使用し、予め設定された時間が切れた後の最近１回のＤＲＸ非アクティビティタイマーのタイムアウト又は最近１回ＤＲＸ  ｃｏｍｍａｎｄ  ＭＡＣ  ＣＥを受信した時に、短ＤＲＸ周期の使用を回復するとの方式で長ＤＲＸ周期を動的に使用するように設置され、或いは、
前記受信モジュールが長ＤＲＸ周期使用指示を受信した時に、前記端末のＤＲＸ非アクティビティタイマーが運行していると、前記ＤＲＸモジュールが、ＤＲＸ非アクティビティタイマーがタイムアウトし又はＵＥがＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近１回のＤＲＸ非アクティビティタイマーのタイムアウト又は最近１回ＤＲＸ  ｃｏｍｍａｎｄ  ＭＡＣ  ＣＥを受信した時に、短ＤＲＸ周期の使用を回復するとの方式で長ＤＲＸ周期を動的に使用するように設置され、或いは、
前記受信モジュールが長ＤＲＸ周期使用指示を受信した時に、前記端末が長ＤＲＸ周期を使用していると、前記ＤＲＸモジュールが、次回のＤＲＸ非アクティビティタイマーのタイムアウト又は次回にＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近１回のＤＲＸ非アクティビティタイマーのタイムアウト又は最近１回ＤＲＸ  ｃｏｍｍａｎｄ  ＭＡＣ  ＣＥを受信した後に、短ＤＲＸ周期の使用を回復するとの方式で長ＤＲＸ周期を動的に使用するように設置される請求項１１に記載の端末。
【請求項１５】
前記ＤＲＸモジュールがさらに、受信したＤＲＸ周期使用指示が短ＤＲＸ周期使用指示であると判断すれば、短ＤＲＸ周期を使用するように設置される請求項１１に記載の端末。
【請求項１６】
前記ＤＲＸモジュールがさらに、前記受信モジュールが短ＤＲＸ周期使用指示を受信した後に、この前に長ＤＲＸ周期使用指示を受信したことがあると判断すれば、該長ＤＲＸ周期使用指示が無効になったと認め、短ＤＲＸ周期の使用を回復するように設置される請求項１５に記載の端末。
【請求項１７】
前記ＤＲＸモジュールが、ＤＲＸ非アクティビティタイマーがタイムアウトし又はＵＥがＤＲＸ  ｃｏｍｍａｎｄ  ＭＡＣ  ＣＥを受信したと判断した時に、短ＤＲＸ周期を使用するとの方式で短ＤＲＸ周期を使用するように設置される請求項１５又は１６に記載の端末。
【請求項１８】
前記受信モジュールがさらに、短ＤＲＸ周期設定パラメータを含むＲＲＣ接続再設定シグナリングを受信するように設置され、
前記ＤＲＸモジュールがさらに、前記受信モジュールが長ＤＲＸ周期使用指示を受信して、また短ＤＲＸ周期設定パラメータを含むＲＲＣ接続再設定シグナリングを受信した時に、該長ＤＲＸ周期使用指示が無効になったと認め、ＲＲＣ接続再設定シグナリングに含まれた短ＤＲＸ周期設定パラメータに応じて短ＤＲＸ周期を使用するように設置される請求項１１に記載の端末。
【請求項１９】
前記ＤＲＸモジュールが、ＤＲＸ短周期タイマーを０或いはタイムアウトに設定するとの方式で短ＤＲＸ周期の使用を停止するように設置される請求項１１又は１４に記載の端末。
【発明の詳細な説明】
【技術分野】
【０００１】
本発明は、無線通信技術分野に関し、具体的に端末の不連続受信（Ｄｉｓｃｏｎｔｉｎｕｏｕｓ  Ｒｅｃｅｐｔｉｏｎ、ＤＲＸと略称する）の動的設定方法及び端末に関する。
【背景技術】
【０００２】
従来の広帯域無線通信システムにおいて、ＵＥ（Ｕｓｅｒ  Ｅｑｕｉｐｍｅｎｔ、ユーザ機器又は端末と称する）の消費電力を制御するために、ＤＲＸ（Ｄｉｓｃｏｎｔｉｎｕｏｕｓ  Ｒｅｃｅｐｔｉｏｎ、不連続受信）技術を用いる。
【０００３】
ＤＲＸとは、端末が一定の期間で物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）への監視を停止することを指す。ＤＲＸは２種類に分けられ、１つはアイドル（ＩＤＬＥ）ＤＲＸであり、つまり、端末がＩＤＬＥ状態での非連続受信にある。ＩＤＬＥ状態にある場合に、無線リソース制御プロトコル（ＲＲＣ、Ｒａｄｉｏ  Ｒｅｓｏｕｒｃｅ  Ｃｏｎｔｒｏｌ）接続とユーザの専有リソースが既になくなり、従ってＩＤＬＥ  ＤＲＸは主にコールチャネルとブロードキャストチャネルを監視することに用いられ、固定の周期を定義するだけで、非連続受信の目的を達成することができる。しかしながら、端末はユーザデータチャネルを監視すれば、ＩＤＬＥ状態から接続状態に入る必要がある。もう１つはアクティブ（Ａｃｔｉｖｅ）ＤＲＸであり、つまり、端末がＲＲＣ接続（ＲＲＣ−ＣＯＮＮＥＣＴＥＤ）状態でのＤＲＸにあり、システムリソース割り当てを最適化することができ、さらに重要なことは端末の消費電力を節約でき、端末をＲＲＣアイドル（ＲＲＣ＿ＩＤＬＥ）状態に入れる必要がなく、端末の消費電力を節約するという目的を達成することができる。例えば、いくつかの非リアルタイムアプリケーション（ｗｅｂ閲覧、インスタント通信等）が常に一定の期間に存在し、端末は絶えずにダウンリンクデータを監視する必要がなく、関連処理を行う必要もなく、ＤＲＸをこのようなシーンに応用することができる。さらに、Ａｃｔｉｖｅ  ＤＲＸ状態でＲＲＣ接続が存在するため、端末はダウンリンクデータを監視する状態に移行する速度が非常に速い。
【０００４】
基地局はＲＲＣ接続再設定シグナリング（ＲＲＣ  ｃｏｎｎｅｃｔｉｏｎ  ｒｅｃｏｎｆｉｇｕｒａｔｉｏｎ）によってＤＲＸ設定パラメータをＵＥに送信する。
【０００５】
ＤＲＸにいくつかのタイマーが存在し、次に、これらのタイマーを説明し、すべての時間はサブフレームに基づき、即ちｍｓを単位とする。
【０００６】
１、オンデュレーションタイマー（Ｏｎ  Ｄｕｒａｔｉｏｎ  Ｔｉｍｅｒ）
毎回、端末はＤＲＸから起きた後に起きている時間を維持し、端末は該期間内にＰＤＣＣＨを検索する。
【０００７】
２、非アクティビティタイマー（Ｉｎａｃｔｉｖｉｔｙ  Ｔｉｍｅｒ）
端末は起きている時に、毎回、ハイブリッド自動再送要求（ＨＡＲＱ、Ｈｙｂｒｉｄ  Ａｕｔｏｍａｔｉｃ  Ｒｅｐｅａｔ  Ｒｅｑｕｅｓｔ）により初期に送信されたＰＤＣＣＨを成功にデコードした後にＡｃｔｉｖｅの時間を保持し、即ち、端末が受信したＰＤＣＣＨは１つのＵＬ／ＤＬの初期伝送（再送ではない）を指示すると、Ａｃｔｉｖｅの時間の保持が必要になる。
【０００８】
３、１回起きた後に総アクティブタイマー（Ａｃｔｉｖｅ  Ｔｉｍｅｒ）
端末はＤＲＸから起きた後に起きている総時間を保持し、この期間に、端末はＰＤＣＣＨを監視し、例えば、ＤＲＸ周期が「Ｏｎ  Ｄｕｒａｔｉｏｎ」を開始し、又は初期に伝送されたＰＤＣＣＨを受信するという、端末をＡｃｔｉｖｅにするすべての状態を含み、又は再送等を監視する。
【０００９】
ＤＲＸを設定したら、Ａｃｔｉｖｅ  Ｔｉｍｅは、Ｏｎ  Ｄｕｒａｔｉｏｎ  Ｔｉｍｅｒ、Ｉｎａｃｔｉｖｉｔｙ  Ｔｉｍｅｒ、ＤＲＸ再送タイマー（ＤＲＸ  Ｒｅｔｒａｎｓｍｉｓｓｉｏｎ  Ｔｉｍｅｒ）及びＭＡＣ（メディアアクセス制御）衝突解決タイマー（ＭＡＣ  Ｃｏｎｔｅｎｔｉｏｎ  Ｒｅｓｏｌｕｔｉｏｎ  Ｔｉｍｅｒ）の運行時間を含み、又は、スケジューリング要求（ＳＲ、Ｓｃｈｅｄｕｌｉｎｇ  Ｒｅｑｕｅｓｔ）が既にＰＵＣＣＨに送信され、且つサスペンドの状態（つまりこのスケジューリング要求がまだ満たされていない）にあり、又は、１つのサスペンドされたＨＡＲＱに対してアップリンク承認が存在し、且つ対応するＨＡＲＱバッファ領域にデータがあり、又は、非競合のランダムアクセス後に、ランダムアクセス応答情報を成功に受信し、この時にＰＤＣＣＨを端末に送信して１つの新しい伝送を指示すべきであるが、このＰＤＣＣＨをまだ受信していなく、この時に端末はまたＡｃｔｉｖｅ状態にある必要がある。
【００１０】
４、ＨＡＲＱ往復遅延時間タイマー（ＨＡＲＱ  ＲＴＴ  Ｔｉｍｅｒ）
端末はダウンリンク再送（ＤＬ  Ｒｅｔｒａｎｓｍｉｓｓｉｏｎ）が来る一番少ない間隔時間を予想し、つまり、端末は再送が来る一番早い時間をしばらく気にする必要がなく、このタイマーがタイムアウトする限り、端末は起きている状態にある。
【００１１】
５、ＤＲＸ  Ｒｅｔｒａｎｓｍｉｓｓｉｏｎ  Ｔｉｍｅｒ
端末はＤＬ  Ｒｅｔｒａｎｓｍｉｓｓｉｏｎを受信する時間を予想し、つまり、こんなに長い時間でダウンリンク再送を受信する必要がある。
【００１２】
６、ＤＲＸサイクル長さ（ＤＲＸ  Ｃｙｃｌｅ  ｌｅｎｇｔｈ）
ＤＲＸ  Ｃｙｃｌｅ  ｌｅｎｇｔｈは一旦設定／再設定されると固定して変わらなくなり、Ａｃｔｉｖｅ  ＴｉｍｅがＯｎ  Ｄｕｒａｔｉｏｎより大きいため変わることはない。
【００１３】
従来のＤＲＸの実行過程は主に以下を含み、短ＤＲＸ周期を使用すれば、現在のサブフレームが公式［（ＳＦＮ  ＊  １０）＋ｓｕｂｆｒａｍｅ  ｎｕｍｂｅｒ］  ｍｏｄｕｌｏ  （ｓｈｏｒｔ  ＤＲＸ  Ｃｙｃｌｅ）＝（ＤＲＸ  ＳｔａｒｔＯｆｆｓｅｔ）  ｍｏｄｕｌｏ  （ｓｈｏｒｔ  ＤＲＸ  Ｃｙｃｌｅ）を満たすかどうかを検査し、そのうち、ＳＦＮはシステムフレーム番号、ｓｕｂｆｒａｍｅ  ｎｕｍｂｅｒはサブフレーム数、ｓｈｏｒｔ  ＤＲＸ  Ｃｙｃｌｅは短ＤＲＸ周期、ＤＲＸ  ＳｔａｒｔＯｆｆｓｅｔはＤＲＸ開始オフセットであり、ｍｏｄｕｌｏはモジュロ演算を示し、長ＤＲＸ周期を使用すれば、現在のサブフレームが公式［（ＳＦＮ  ＊  １０）＋ｓｕｂｆｒａｍｅ  ｎｕｍｂｅｒ］  ｍｏｄｕｌｏ  （ｌｏｎｇ  ＤＲＸ  Ｃｙｃｌｅ）＝ＤＲＸ  ＳｔａｒｔＯｆｆｓｅｔを満たすかどうかを検査し、そのうち、ｌｏｎｇ  ＤＲＸ  Ｃｙｃｌｅは長ＤＲＸ周期であり、上の２つの条件の１つを満たすと、Ｏｎ  Ｄｕｒａｔｉｏｎ  Ｔｉｍｅｒを起動し、この時に端末はＰＤＣＣＨへの監視を開始する。このサブフレームＨＡＲＱ  ＲＴＴ  Ｔｉｍｅｒ（希望される再送の一番短い時間）がタイムアウトすると、再送は来るおそれがあり、この時にＨＡＲＱプロセスのソフトバッファ領域に対して成功にデコードしていないデータがあると（つまり、前のデータ受信が失敗し、データ再送が必要になる）、ＤＲＸ  Ｒｅｔｒａｎｓｍｉｓｓｉｏｎ  Ｔｉｍｅｒを起動してＰＤＣＣＨ再送に関連するデータへの監視を開始する。ＤＲＸ  ｃｏｍｍａｎｄ  ＭＡＣ  ＣＥ（ＤＲＸ命令メディアアクセス制御元素）を受信したならば、ｅＮＢが端末を睡眠状態に入れるように要求すると意味し、この時にＯｎ  Ｄｕｒａｔｉｏｎ  ＴｉｍｅｒとＤＲＸ  Ｉｎａｃｔｉｖｉｔｙ  Ｔｉｍｅｒを停止させるが、再送に関連するタイマーを停止させず、端末に再送の内容を監視させ続けるように要求する。ＤＲＸ  Ｉｎａｃｔｉｖｉｔｙ  Ｔｉｍｅｒがタイムアウトし又はＤＲＸ  ｃｏｍｍａｎｄ  ＭＡＣ制御要素を受信する時に、短ＤＲＸ周期を設定したならば、ＤＲＸ  ｓｈｏｒｔ  Ｃｙｃｌｅ  Ｔｉｍｅｒ（ＤＲＸ短周期タイマー）を起動又は再起動し、短ＤＲＸ周期を使用し、さもないと、長ＤＲＸ周期を使用し、ＤＲＸ  ｓｈｏｒｔ  Ｃｙｃｌｅ  Ｔｉｍｅｒがタイムアウトすれば、長ＤＲＸ周期を使用する。
【００１４】
２段ＤＲＸ  Ｃｙｃｌｅを設定する着眼点は、端末の１回データ伝送過程が終了した後にすぐ伝送データのある可能性が大きいため、１つの短ＤＲＸ周期を設定してこの確率を対応し、いくつかの短ＤＲＸ周期内に伝送するデータがないと、今回のデータ伝送が確かに完成すると表わされ、ディープ睡眠状態に入ることができ、このようにして長短周期を合わせてより優れるＤＲＸ効果を達成することができると考えられている。
【００１５】
以上はＬＴＥシステムを例としてＤＲＸメカニズムにおける異なるタイマーの定義とＤＲＸ実行フローを説明した。ＤＲＸメカニズムを、例えば、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）又はモバイル通信用グローバルシステム（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）等の他のシステムに応用することもでき、具体的な実行詳細がわずかに異なり、大体のフローが類似する。
【００１６】
スマートフォンの普及及び知的ソフトウェア、アプリケーションの多様化につれて、端末の消費電力への最適化需要はますます現在に重視する必要がある問題になる。現在の人気のあるアプリケーションのインスタント通信類ソフトウェアは、そのデータ発生がランダム性とデータ量の少ない特性を有し、即ち毎回のデータ（通常に、１回のデータ送信に複数の連続に発生したアプリケーション層データパケットを含み、例えば１回のウェブページリンクをクリックして複数の埋め込み対象をダウンロードする）送信に含まれた連続的なデータパケットの数量が少なく、且つ前後２回のデータ送信の間隔時間が長く、従来のＤＲＸメカニズムはこのタイプの業務を対応する時に、１回のデータ送信が終了した後に、ＤＲＸメカニズムは実行するいくつかの回の短ＤＲＸ周期にいかなるデータも送信する必要がなく（次回のデータ送信の間隔時間が長いためである）、短ＤＲＸ周期が長ＤＲＸ周期に対して、より多くのＵＥの消費電力を必要とするため、ＤＲＸ技術がインスタント通信類業務によく適用できない。且つ、関連技術はインスタント通信類業務と他のデータ業務（音声業務を除く）を区別することができないため、短ＤＲＸ周期の設定回数を単に減少させれば、他のタイプのデータ業務に適用できないおそれがある。ネットワークはデータ規則を検出することによって短ＤＲＸ周期の設定を動的に調整すれば、さらなるＲＲＣ設定シグナリングオーバーヘッドを引き起こし、システムの効率に影響を与える。
【発明の概要】
【発明が解決しようとする課題】
【００１７】
本発明の実施例は、端末により実行される不連続受信の動的設定方法を提供して、端末がさまざまなデータ業務の節電需要に適応する。
【課題を解決するための手段】
【００１８】
本発明は不連続受信（ＤＲＸ）の動的設定方法を提供し、
端末が基地局により送信されたＤＲＸ周期使用指示を受信することと、
端末が受信したＤＲＸ周期使用指示が長ＤＲＸ周期使用指示であると判断されれば、長ＤＲＸ周期を使用することとを含む。
【００１９】
好ましくは、ＵＥが長ＤＲＸ周期を使用することは、ＵＥが長ＤＲＸ周期使用指示の内容或いはネットワーク側との約束設定に基づいて、長ＤＲＸ周期を静的に使用することを含み、前記の長ＤＲＸ周期を静的に使用することは、ＵＥが短ＤＲＸ周期の使用を停止し、長ＤＲＸ周期を使用することを指す。
【００２０】
好ましくは、ＵＥが長ＤＲＸ周期を使用することは、ＵＥが長ＤＲＸ周期使用指示の内容或いはネットワーク側との約束設定に基づいて、長ＤＲＸ周期を動的に使用することを含み、前記の長ＤＲＸ周期を動的に使用することは、ＵＥが予め設定された時間内のみに短ＤＲＸ周期の使用を停止して長ＤＲＸ周期のみを使用し、予め設定された時間が切れた後に短ＤＲＸ周期の使用を回復することを指す。
【００２１】
好ましくは、前記方法は、端末が受信したＤＲＸ周期使用指示が短ＤＲＸ周期使用指示であると判断すれば、短ＤＲＸ周期を使用することをさらに含む。
【００２２】
本発明の実施例はさらに不連続受信（ＤＲＸ）の動的設定を実現する端末を提供し、受信モジュールとＤＲＸモジュールを含み、
前記受信モジュールが、基地局により送信されたＤＲＸ周期使用指示を受信するように設置され、
前記ＤＲＸモジュールが、前記受信モジュールにより受信されたＤＲＸ周期使用指示が長ＤＲＸ周期使用指示であると判断すれば、長ＤＲＸ周期を使用するように設置される。
【００２３】
好ましくは、前記ＤＲＸモジュールが、長ＤＲＸ周期使用指示の内容或いはネットワーク側との約束設定に基づいて、長ＤＲＸ周期を静的に使用するように長ＤＲＸ周期を使用するように設置され、前記の長ＤＲＸ周期を静的に使用することは、短ＤＲＸ周期の使用を停止し、長ＤＲＸ周期を使用することを指す。
【００２４】
好ましくは、前記ＤＲＸモジュールが、長ＤＲＸ周期使用指示の内容或いはネットワーク側との約束設定に基づいて、長ＤＲＸ周期を動的に使用するように長ＤＲＸ周期を使用するように設置され、前記の長ＤＲＸ周期を動的に使用することは、予め設定された時間内のみに短ＤＲＸ周期の使用を停止して長ＤＲＸ周期のみを使用し、予め設定された時間が切れた後に短ＤＲＸ周期の使用を回復することを指す。
【００２５】
好ましくは、前記ＤＲＸモジュールがさらに、受信したＤＲＸ周期使用指示が短ＤＲＸ周期使用指示であると判断すれば、短ＤＲＸ周期を使用するように設置される。
【００２６】
本発明の実施例はさらに基地局により実行される不連続受信の動的設定方法を提供し、低オーバーヘッドでＤＲＸ周期を動的に設定することができ、端末がさまざまなデータ業務の節電需要に適応する。
【００２７】
本発明の実施例は不連続受信（ＤＲＸ）の動的設定方法を提供し、
基地局が、端末（ＵＥ）のデータ到達規則に基づいてＵＥが長ＤＲＸ周期を使用する必要があると判断した時に、該ＵＥに長ＤＲＸ周期使用指示を送信することを含む。
【００２８】
好ましくは、前記長ＤＲＸ周期使用指示は、静的有効長ＤＲＸ周期使用指示又は動的有効長ＤＲＸ周期使用指示を含む。
【００２９】
好ましくは、前記方法は、基地局が、ＵＥのデータ到達規則に基づいてＵＥが短ＤＲＸ周期を使用する必要があると判断した時に、該ＵＥに短ＤＲＸ周期使用指示を送信することをさらに含む。
【００３０】
本発明の実施例はさらに不連続受信（ＤＲＸ）の動的設定を実現する基地局を提供し、判断モジュールと送信モジュールを含み、
前記判断モジュールが、端末（ＵＥ）のデータ到達規則に基づいて前記ＵＥが長ＤＲＸ周期を使用する必要があるかどうかを判断するように設置され、
前記送信モジュールが、前記判断モジュールによりＵＥが長ＤＲＸ周期を使用する必要があると判断した時に、該ＵＥに長ＤＲＸ周期使用指示を送信するように設置される。
【００３１】
好ましくは、前記長ＤＲＸ周期使用指示は、静的有効長ＤＲＸ周期使用指示又は動的有効長ＤＲＸ周期使用指示を含む。
【００３２】
好ましくは、前記判断モジュールがさらに、ＵＥのデータ到達規則に基づいて前記ＵＥが短ＤＲＸ周期を使用する必要があるかどうかを判断するように設置され、前記送信モジュールがさらに、前記判断モジュールによりＵＥが短ＤＲＸ周期を使用する必要があると判断した時に、該ＵＥに短ＤＲＸ周期使用指示を送信することに用いられる。
【発明の効果】
【００３３】
本発明の実施例の前記方法、端末及び基地局を採用して、ＤＲＸの効果をよく発揮することができ、ネットワーク側に対して、低オーバーヘッドでＤＲＸ周期を動的に設定することができ、端末に対して、異なるデータ業務の節電需要によく適応することができ、且つ、方法が柔軟的で、簡単に実現できる。
【図面の簡単な説明】
【００３４】
【図１】図１は本発明の実施例１のフローチャート図である。
【図２】図２は本発明の実施例２の端末側の構造模式図である。
【図３】図３は本発明の実施例３のフローチャート図である。
【図４】図４は本発明の実施例４の基地局側の構造模式図である。
【図５】図５は本発明の実施例方案と関連技術の効果対比模式図である。
【図６】図６は本発明の実施例において静的有効長ＤＲＸ周期使用指示を使用する模式図である。
【図７ａ】図７ａは本発明の実施例において動的有効長ＤＲＸ周期使用指示を使用する模式図である。
【図７ｂ】図７ｂは本発明の実施例において動的有効長ＤＲＸ周期使用指示を使用する模式図である。
【図８】図８は本発明の実施例において短ＤＲＸ周期使用指示を使用する模式図である。
【図９】図９はＴｉｍｉｎｇ  Ａｄｖａｎｃｅ  Ｃｏｍｍａｎｄ  ＭＡＣ  ＣＥの構造図である。
【発明を実施するための形態】
【００３５】
以下に、図面を参照して本発明の実施例を詳しく説明する。ただし、衝突しない場合に、本願における実施例及び実施例の特徴を任意に組み合わせることができる。
【００３６】
実施例１
本実施例はＤＲＸ動的設定方法における端末側が実行する処理を説明し、図１に示すように、
基地局により送信されたＤＲＸ周期使用指示を受信するステップ１１０と、
受信したＤＲＸ周期使用指示が長ＤＲＸ周期使用指示であると判断すれば、長ＤＲＸ周期を使用する（例えば長ＤＲＸ周期を静的に使用する或いは長ＤＲＸ周期を動的に使用する）ステップ１２０とを含む。
【００３７】
好ましくは、受信したＤＲＸ周期使用指示が短ＤＲＸ周期使用指示であると判断すれば、ＵＥは短ＤＲＸ周期を使用する。
【００３８】
ＵＥは長ＤＲＸ周期使用指示の内容或いはネットワーク側との約束設定に基づいて、長ＤＲＸ周期を静的に使用する又は長ＤＲＸ周期を動的に使用する。長ＤＲＸ周期使用指示の内容は該長ＤＲＸ周期使用指示が静的有効であると指示すれば、ＵＥが長ＤＲＸ周期を静的に使用し、長ＤＲＸ周期使用指示の内容は該長ＤＲＸ周期使用指示が動的有効であると指示すれば、ＵＥが長ＤＲＸ周期を動的に使用する。ＵＥとネットワーク側との約束設定は長ＤＲＸ周期を静的に使用する又は長ＤＲＸ周期を動的に使用することであれば、長ＤＲＸ周期使用指示を受信した後に、約束設定に応じて処理する。基地局は長ＤＲＸ周期指示を動的有効に設置する場合に、短ＤＲＸ周期指示を必要としなくてもよく、つまり、該短ＤＲＸ周期指示は選択可能なものである。
【００３９】
ＵＥが長ＤＲＸ周期を静的に使用することは、ＵＥが静的有効長ＤＲＸ周期使用指示を受信した後に、短ＤＲＸ周期の使用を停止し、長ＤＲＸ周期を使用することを指す。
【００４０】
ＵＥ現在の異なる状態に基づいて、ＵＥが長ＤＲＸ周期を静的に使用する状況も異なり、
ＵＥが静的有効長ＤＲＸ周期使用指示を受信した時に、ＵＥが短ＤＲＸ周期を使用していると、現在１つの短ＤＲＸ周期が終了した後に、ＵＥが短ＤＲＸ周期の使用を停止し、長ＤＲＸ周期を使用し、
ＵＥが静的有効長ＤＲＸ周期使用指示を受信した時に、ＤＲＸ  Ｉｎａｃｔｉｖｉｔｙ  Ｔｉｍｅｒが運行していると、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止し、長ＤＲＸ周期を使用し、
ＵＥが静的有効長ＤＲＸ周期使用指示を受信した時に、ＵＥが長ＤＲＸ周期を使用していると、次回のＤＲＸ  Ｉｎａｃｔｉｖｉｔｙ  Ｔｉｍｅｒがタイムアウトし又は次回のＤＲＸ  ｃｏｍｍａｎｄ  ＭＡＣ  ＣＥを受信した後に、ＵＥが短ＤＲＸ周期の使用を停止し、長ＤＲＸ周期を使用し、
ＵＥに対して、ＤＲＸ  Ｉｎａｃｔｉｖｉｔｙ  ＴｉｍｅｒのタイムアウトとＤＲＸ  ｃｏｍｍａｎｄ  ＭＡＣ  ＣＥの受信の効果が同じである。
【００４１】
ＵＥが長ＤＲＸ周期を動的に使用することは、ＵＥが動的有効長ＤＲＸ周期使用指示を受信した後に、予め設定された時間内のみに短ＤＲＸ周期の使用を停止して長ＤＲＸ周期のみを使用し、予め設定された時間が切れた後に短ＤＲＸ周期の使用を回復することを指す。予め設定された時間は、サブフレームの整数倍の時間、又は長ＤＲＸ周期の整数倍の時間、又はＤＲＸ  Ｉｎａｃｔｉｖｉｔｙ  Ｔｉｍｅｒのタイムアウト回数又はＵＥがＤＲＸ  ｃｏｍｍａｎｄ  ＭＡＣ  ＣＥを受信した回数であってもよい。該予め設定された時間は基地局によりＲＲＣ専用シグナリング又はＭＡＣシグナリングによってＵＥに設定されることができる。例えば、予め設定された時間は、従来のＲＲＣシグナリングにおいて新規作成されたＩＥでキャリングされ、又は新規作成されたＲＲＣシグナリングでキャリングされ、又は従来のＭＡＣ  ＣＥのリザーブビットにキャリングされ、又は新規作成されたＭＡＣ  ＣＥでキャリングされる。
【００４２】
ＵＥは動的長ＤＲＸ周期使用タイマーを設置することによって予め設定された時間が切れたかどうかを判断する。ＵＥが動的有効長ＤＲＸ周期使用指示を受信した後に、ＵＥが長ＤＲＸ周期を使用し始める時に、該動的長ＤＲＸ周期使用タイマーはカウントし始め、或いはＵＥが長ＤＲＸ周期を使用し始めた後の１回目のＤＲＸ  Ｉｎａｃｔｉｖｉｔｙ  Ｔｉｍｅｒがタイムアウトし又は１回目のＵＥがＤＲＸ  ｃｏｍｍａｎｄ  ＭＡＣ  ＣＥを受信する時に、該動的長ＤＲＸ周期使用タイマーはカウントし始める。
【００４３】
予め設定された時間がサブフレームの整数倍に設置されれば、１つ又は複数の（設置による）サブフレームを経るごとに、該動的長ＤＲＸ周期使用タイマーは１をプラスし、
予め設定された時間が長ＤＲＸ周期の整数倍に設置されれば、ＵＥが１つ又は複数の（設置による）ＤＲＸ長周期を使用するごとに、該動的長ＤＲＸ周期使用タイマーは１をプラスし、
予め設定された時間がＤＲＸ  Ｉｎａｃｔｉｖｉｔｙ  Ｔｉｍｅｒのタイムアウト回数又はＵＥのＤＲＸ  ｃｏｍｍａｎｄ  ＭＡＣ  ＣＥを受信した回数に設置されれば、ＵＥが１回又は複数回のＤＲＸ  Ｉｎａｃｔｉｖｉｔｙ  Ｔｉｍｅｒタイムアウトを発生し或いはＵＥが１回又は複数回のＤＲＸ  ｃｏｍｍａｎｄ  ＭＡＣ  ＣＥを受信するごとに、該動的長ＤＲＸ周期使用タイマーは１をプラスする。
【００４４】
ＵＥ現在の異なる状態に基づいて、ＵＥが長ＤＲＸ周期を動的に使用する状況も異なり、
ＵＥが動的有効長ＤＲＸ周期使用指示を受信した時に、ＵＥが短ＤＲＸ周期を使用していると、次回のＤＲＸ周期から、ＵＥが短ＤＲＸ周期の使用を停止して長ＤＲＸ周期を使用し、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信する時に、ＵＥが短ＤＲＸ周期の使用を回復し、
ＵＥが動的有効長ＤＲＸ周期使用指示を受信した時に、ＤＲＸ  Ｉｎａｃｔｉｖｉｔｙ  Ｔｉｍｅｒが運行していると、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止して長ＤＲＸ周期を使用し、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信する時に、ＵＥが短ＤＲＸ周期の使用を回復し、
ＵＥが動的有効長ＤＲＸ周期使用指示を受信した時に、ＵＥが長ＤＲＸ周期を使用していると、次回のＤＲＸ  Ｉｎａｃｔｉｖｉｔｙ  Ｔｉｍｅｒがタイムアウトし又は次回のＤＲＸ  ｃｏｍｍａｎｄ  ＭＡＣ  ＣＥを受信した後に、ＵＥが短ＤＲＸ周期の使用を停止して長ＤＲＸ周期を使用することができ、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信した後に、ＵＥが短ＤＲＸ周期の使用を回復し、或いは、ＵＥが該指示を無効と見なすことができる。
【００４５】
上記したＵＥが短ＤＲＸ周期の使用を停止することは、ＵＥがＤＲＸ  ｓｈｏｒｔ  Ｃｙｃｌｅ  Ｔｉｍｅｒを０或いはタイムアウトに設定することを含む。
【００４６】
上記した予め設定された時間が切れた後にＵＥが短ＤＲＸ周期の使用を回復する以外に、予め設定された時間になっていない時に、以下の２つの状況のいずれかが現れると、ＵＥが短ＤＲＸ周期の使用を回復することもでき、
状況１：ＵＥが長ＤＲＸ周期使用指示を受信した後にまた短ＤＲＸ指示を受信し、言い換えれば、ＵＥが短ＤＲＸ周期使用指示を受信した後に、ＵＥがこの前（即ち短ＤＲＸ周期使用指示を受信する前）に長ＤＲＸ周期使用指示を受信したことがあると判断すれば、ＵＥが、該長ＤＲＸ周期使用指示が無効になったと確定し、短ＤＲＸ周期の使用を回復し、
状況２：ＵＥが短ＤＲＸ周期設定パラメータを含むＲＲＣ接続再設定シグナリング（ＲＲＣ  ｃｏｎｎｅｃｔｉｏｎ  ｒｅｃｏｎｆｉｇｕｒａｔｉｏｎ）を受信した後に、ＵＥがこの前（即ち該ＲＲＣ接続再設定シグナリングを受信する前）に長ＤＲＸ周期使用指示を受信したことがあると、ＵＥが、長ＤＲＸ周期使用指示が無効になったと確定し、ＲＲＣ接続再設定シグナリングに含まれた短ＤＲＸ周期設定パラメータに応じて短ＤＲＸ周期を使用する。
【００４７】
上記したＵＥが短ＤＲＸ周期を使用し、ＵＥがＤＲＸ  Ｉｎａｃｔｉｖｉｔｙ  Ｔｉｍｅｒがタイムアウトすると判断し又はＵＥがＤＲＸ  ｃｏｍｍａｎｄ  ＭＡＣ  ＣＥを受信した時に、ＵＥが短ＤＲＸ周期を使用する。短ＤＲＸ周期の使用を回復するタイミングと短ＤＲＸ周期を使用するタイミングとは同じである。
【００４８】
実施例２
本実施例は上記方法を実現する端末を説明し、図３に示すように、受信モジュールとＤＲＸモジュールを含み、
該受信モジュールが、基地局により送信されたＤＲＸ周期使用指示を受信するように設置され、
該ＤＲＸモジュールが、前記受信モジュールにより受信されたＤＲＸ周期使用指示が長ＤＲＸ周期使用指示であると判断すれば、長ＤＲＸ周期を使用するように設置される。
【００４９】
好ましくは、該ＤＲＸモジュールが、長ＤＲＸ周期使用指示の内容或いはネットワーク側との約束設定に基づいて、長ＤＲＸ周期を静的に使用するように長ＤＲＸ周期を使用し、長ＤＲＸ周期を静的に使用することは、短ＤＲＸ周期の使用を停止し、長ＤＲＸ周期を使用することを指す。
【００５０】
該受信モジュールが長ＤＲＸ周期使用指示を受信した時に、現在の端末が短ＤＲＸ周期を使用していると、ＤＲＸモジュールが、現在１つの短ＤＲＸ周期が終了した後に、短ＤＲＸ周期の使用を停止し、長ＤＲＸ周期を使用するように長ＤＲＸ周期を静的に使用する。
【００５１】
該受信モジュールが長ＤＲＸ周期使用指示を受信した時に、現在の端末のＤＲＸ  Ｉｎａｃｔｉｖｉｔｙ  Ｔｉｍｅｒが運行していると、前記ＤＲＸモジュールが、ＤＲＸ  Ｉｎａｃｔｉｖｉｔｙ  Ｔｉｍｅｒがタイムアウトし又はＤＲＸ  ｃｏｍｍａｎｄ  ＭＡＣ  ＣＥを受信した後に、短ＤＲＸ周期の使用を停止し、長ＤＲＸ周期を使用するように長ＤＲＸ周期を静的に使用する。
【００５２】
該受信モジュールが長ＤＲＸ周期使用指示を受信した時に、現在の端末が長ＤＲＸ周期を使用していると、前記ＤＲＸモジュールが、次回のＤＲＸ  Ｉｎａｃｔｉｖｉｔｙ  Ｔｉｍｅｒがタイムアウトし又は次回のＤＲＸ  ｃｏｍｍａｎｄ  ＭＡＣ  ＣＥを受信した後に、短ＤＲＸ周期の使用を停止し、長ＤＲＸ周期を使用するように長ＤＲＸ周期を静的に使用する。
【００５３】
好ましくは、該ＤＲＸモジュールがさらに、長ＤＲＸ周期使用指示の内容或いはネットワーク側との約束設定に基づいて、長ＤＲＸ周期を動的に使用するように長ＤＲＸ周期を使用することもでき、長ＤＲＸ周期を動的に使用することは、予め設定された時間内のみに短ＤＲＸ周期の使用を停止して長ＤＲＸ周期のみを使用し、予め設定された時間が切れた後に短ＤＲＸ周期の使用を回復することを指す。予め設定された時間は、サブフレームの整数倍の時間、又は長ＤＲＸ周期の整数倍の時間、又はＤＲＸ  Ｉｎａｃｔｉｖｉｔｙ  Ｔｉｍｅｒのタイムアウト回数又はＵＥがＤＲＸ  ｃｏｍｍａｎｄ  ＭＡＣ  ＣＥを受信した回数であってもよい。
【００５４】
受信モジュールはさらに、基地局がＲＲＣ専用シグナリング又はＭＡＣシグナリングによって設定した前記予め設定された時間を受信するように設置され、この時に、端末はさらに、予め設定された時間が切れたかどうかを判断するための動的長ＤＲＸ周期使用タイマーモジュールを含み、該動的長ＤＲＸ周期使用タイマーモジュールは、ＵＥが長ＤＲＸ周期を使用し始める時にカウントし始め、或いはＵＥが長ＤＲＸ周期を使用し始めた後の１回目のＤＲＸ  Ｉｎａｃｔｉｖｉｔｙ  Ｔｉｍｅｒがタイムアウトし又は１回目のＤＲＸ  ｃｏｍｍａｎｄ  ＭＡＣ  ＣＥを受信した時にカウントし始める。
【００５５】
受信モジュールが長ＤＲＸ周期使用指示を受信した時に、現在の端末が短ＤＲＸ周期を使用していると、ＤＲＸモジュールが、次回のＤＲＸ周期から短ＤＲＸ周期の使用を停止して長ＤＲＸ周期を使用し、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信した時に、短ＤＲＸ周期の使用を回復するように長ＤＲＸ周期を動的に使用する。
【００５６】
受信モジュールが長ＤＲＸ周期使用指示を受信した時に、現在の端末のＤＲＸ  Ｉｎａｃｔｉｖｉｔｙ  Ｔｉｍｅｒが運行していると、ＤＲＸモジュールが、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信した時に、短ＤＲＸ周期の使用を回復するように長ＤＲＸ周期を動的に使用する。
【００５７】
受信モジュールが長ＤＲＸ周期使用指示を受信した時に、現在の端末が長ＤＲＸ周期を使用していると、ＤＲＸモジュールが、次回のＤＲＸ  Ｉｎａｃｔｉｖｉｔｙ  Ｔｉｍｅｒがタイムアウトし又は次回のＤＲＸ  ｃｏｍｍａｎｄ  ＭＡＣ  ＣＥを受信した後に、短ＤＲＸ周期の使用を停止して長ＤＲＸ周期を使用し、予め設定された時間が切れた後の最近１回のＤＲＸ  Ｉｎａｃｔｉｖｉｔｙ  Ｔｉｍｅｒがタイムアウトし又は最近１回のＤＲＸ  ｃｏｍｍａｎｄ  ＭＡＣ  ＣＥを受信した後に、短ＤＲＸ周期の使用を回復するように長ＤＲＸ周期を動的に使用する。
【００５８】
好ましくは、該ＤＲＸモジュールがさらに、受信したＤＲＸ周期使用指示が短ＤＲＸ周期使用指示であると判断すれば、短ＤＲＸ周期を使用し、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信したと判断すれば、短ＤＲＸ周期を使用するように設置される。
【００５９】
好ましくは、該ＤＲＸモジュールがさらに、前記受信モジュールが短ＤＲＸ周期使用指示を受信した後に、この前に長ＤＲＸ周期使用指示を受信したことがあると判断すれば、該長ＤＲＸ周期使用指示が無効になったと確定し、短ＤＲＸ周期の使用を回復するように設置される。
【００６０】
好ましくは、該受信モジュールがさらに、短ＤＲＸ周期設定パラメータを含むＲＲＣ接続再設定シグナリングを受信するように設置され、該ＤＲＸモジュールが、前記受信モジュールが長ＤＲＸ周期使用指示を受信し、また短ＤＲＸ周期設定パラメータを含むＲＲＣ接続再設定シグナリングを受信する時に、該長ＤＲＸ周期使用指示が無効になったと確定し、ＲＲＣ接続再設定シグナリングに含まれた短ＤＲＸ周期設定パラメータに応じて短ＤＲＸ周期を使用する。
【００６１】
上記のＤＲＸモジュールが短ＤＲＸ周期の使用を停止することは、ＤＲＸ短周期タイマーを０或いはタイムアウトに設定することを含む。
【００６２】
実施例３
本実施例はＤＲＸ動的設定方法における基地局側が実行する処理を説明し、図３に示すように、
基地局が、ＵＥのデータ到達の頻度及び／又は間隔を含むデータ到達規則に基づいてＵＥが長ＤＲＸ周期かそれとも短ＤＲＸ周期かを使用する必要があることを判断するステップ２１０と、
該ＵＥが長ＤＲＸ周期を使用する必要があると判断すれば、該ＵＥに長ＤＲＸ周期使用指示を送信するステップ２２０とを含む。
【００６３】
好ましくは、基地局が、ＵＥのデータ到達規則に基づいて該ＵＥが短ＤＲＸ周期を使用する必要があると判断すれば、該ＵＥに短ＤＲＸ周期使用指示を送信する。
【００６４】
本実施例における前記基地局は、ＬＴＥシステムに対してｅＮｏｄｅＢ（ｅｖｏｌｖｅｄ  ＮｏｄｅＢ、進化型ＮｏｄｅＢ）を指し、ＵＭＴＳシステムに対してＲＮＣ（Ｒａｄｉｏ  Ｎｅｔｗｏｒｋ  Ｃｏｎｔｒｏｌｌｅｒ、無線ネットワークコントローラ）を指す。
【００６５】
基地局はＲＲＣ専用シグナリングによって上記長ＤＲＸ周期使用指示又は短ＤＲＸ周期使用指示をキャリングすることができ、例えば、従来のＲＲＣシグナリングにおいてＩＥを新規作成してキャリングし、又はＲＲＣシグナリングを新規作成してキャリングする。或いは基地局はさらにＭＡＣシグナリングによって長ＤＲＸ周期使用指示又は短ＤＲＸ周期使用指示をキャリングすることができ、例えば、従来のＭＡＣ  ＣＥのリザーブビットにキャリングし、又はＭＡＣ  ＣＥを新規作成してキャリングする。
【００６６】
好ましくは、基地局はＵＥが短ＤＲＸ周期を使用する必要があると判断すれば、ステップ２２０の前又は後に、基地局はさらに短ＤＲＸ周期設定パラメータを含むＲＲＣ接続再設定シグナリング（ＲＲＣ  ｃｏｎｎｅｃｔｉｏｎ  ｒｅｃｏｎｆｉｇｕｒａｔｉｏｎ）をＵＥに送信することができ、ＵＥに該短ＤＲＸ周期設定パラメータに応じて短ＤＲＸ周期を使用するように指示することに用いられる。
【００６７】
実施例１に記載するように、基地局により送信された長ＤＲＸ周期使用指示は静的有効であってもよく、或いは動的有効であってもよい。ネットワーク側とＵＥとは静的有効長ＤＲＸ周期使用指示のみを使用し、又は動的有効長ＤＲＸ周期使用指示のみを使用し、２種類の長ＤＲＸ周期使用指示をともに使用することを事前に約束し、長ＤＲＸ周期使用指示の内容によって長ＤＲＸ周期使用指示を静的有効又は動的有効に指示する。
【００６８】
同一のＵＥに対して、基地局は同一時点に１種類のみの長ＤＲＸ周期使用指示を送信するが、１つの基地局に対して、それは異なるＵＥに異なる種類の長ＤＲＸ周期使用指示を同時に送信でき、或いは異なる時点に同一のＵＥに異なる種類の長ＤＲＸ周期使用指示を送信する。
【００６９】
実施例４
本実施例は上記実施例３の方法を実現する基地局を説明し、図４に示すように、判断モジュールと送信モジュールを含み、
該判断モジュールが、ＵＥのデータ到達規則に基づいて前記ＵＥが長ＤＲＸ周期を使用する必要があるかどうかを判断するように設置され、
該送信モジュールが、前記判断モジュールによりＵＥが長ＤＲＸ周期を使用する必要があると判断した時に、該ＵＥに長ＤＲＸ周期使用指示を送信するように設置される。
【００７０】
好ましくは、該長ＤＲＸ周期使用指示は、静的有効長ＤＲＸ周期使用指示又は動的有効長ＤＲＸ周期使用指示を含む。該静的有効長ＤＲＸ周期使用指示と動的有効長ＤＲＸ周期使用指示がいずれもＲＲＣ専用シグナリング又はＭＡＣシグナリングにより送信することができる。
【００７１】
好ましくは、該判断モジュールがさらに、ＵＥのデータ到達規則に基づいて前記ＵＥが短ＤＲＸ周期を使用する必要があるかどうかを判断するように設置され、該送信モジュールがさらに、前記判断モジュールによりＵＥが短ＤＲＸ周期を使用する必要があると判断した時に、該ＵＥに短ＤＲＸ周期使用指示を送信することに用いられる。
【００７２】
好ましくは、該送信モジュールがさらに、ＵＥに短ＤＲＸ周期設定パラメータを含むＲＲＣ接続再設定シグナリングを送信するように設置され、ＵＥに該短ＤＲＸ周期設定パラメータに応じて短ＤＲＸ周期を使用するように指示することに用いられる。ＲＲＣ専用シグナリング又はＭＡＣシグナリングによって送信することができる。
【００７３】
応用示例
本示例のシーンはＬＴＥシステムである。
【００７４】
ＵＥがオンラインゲーム業務の使用からインスタント通信業務（例えばＭＳＮ）の使用に切り替えられることを仮定する。
【００７５】
基地局は各データクラスタの間の時間間隔が長く、且つデータクラスタ内各データパケットの時間間隔が短いと検出し、図５におけるデータ到達に示す。
【００７６】
基地局はＵＥに短ＤＲＸ周期を設定したと仮定し、そのＤＲＸ  Ｓｈｏｒｔ  Ｃｙｃｌｅ  Ｔｉｍｅｒ＝２であり、即ち長ＤＲＸ周期を実行する前に、短ＤＲＸ周期を先に２回繰り返して実行する必要がある。
【００７７】
短ＤＲＸと長ＤＲＸ周期を結合して使用する模式図を図５における「短ＤＲＸ周期＋長ＤＲＸ周期」に示し、短ＤＲＸ周期の実行期間に、データ到達がないと分かる。
【００７８】
基地局は検出によって、短ＤＲＸ周期の実行期間に、データが到達する確率を容易に統計することができ、その確率が小さければ、基地局は上記実施例の方法で、短ＤＲＸ周期の使用を一時停止し、長ＤＲＸ周期のみを使用することができ、その効果模式図を図５における「長ＤＲＸ周期のみを使用する」に示す。
【００７９】
「短ＤＲＸ周期＋長ＤＲＸ周期」と「長ＤＲＸ周期のみを使用する」を比較して、「長ＤＲＸ周期のみを使用する」におけるＵＥのＡｃｔｉｖｅ  ｔｉｍｅ（アクティブ時間、即ちＵＥがＰＤＣＣＨを監視する必要がある時間）が「短ＤＲＸ周期＋長ＤＲＸ周期」より明らかに少ないことを容易に発見することができ、つまり、「長ＤＲＸ周期のみを使用する」は現在のシーンで「短ＤＲＸ周期＋長ＤＲＸ周期」より優れる節電効果を取得する。
【００８０】
基地局により送信された長ＤＲＸ周期使用指示が静的有効であれば、ＵＥは指示を受信したタイミングに基づいて異なる処理を行い、
ＵＥが前記静的有効長ＤＲＸ周期使用指示を受信した時に、ＵＥが短ＤＲＸ周期を使用していると、現在１つの短ＤＲＸ周期が終了した後に、ＵＥが短ＤＲＸ周期の使用を停止し、その後に長ＤＲＸ周期を使用し、
例えば、図６における「静的有効長ＤＲＸ周期使用指示を採用する（１）」のサブグラフに示すように、ＵＥが短ＤＲＸ周期のＡｃｔｉｖｅ  ｔｉｍｅに静的有効長ＤＲＸ周期使用指示を受信した時に、この時にＤＲＸ  ｓｈｏｒｔ  Ｃｙｃｌｅ  Ｔｉｍｅｒがタイムアウトしなくても（短ＤＲＸ周期の回数がまだ完了に実行されていない）、現在のこの短ＤＲＸ周期が完了した後に、ＵＥが直ちに長ＤＲＸ周期を使用する。
【００８１】
ＵＥが前記静的有効長ＤＲＸ周期使用指示を受信した時に、ＤＲＸ  Ｉｎａｃｔｉｖｉｔｙ  Ｔｉｍｅｒが運行していると、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止して長ＤＲＸ周期を使用し、
例えば、図６中における「静的有効長ＤＲＸ周期使用指示を採用する（２）」のサブグラフに示すように、ＵＥがデータを送受信する時に、この時ＤＲＸ  Ｉｎａｃｔｉｖｉｔｙ  Ｔｉｍｅｒが運行していって、この時にＵＥが静的有効長ＤＲＸ周期使用指示を受信すると、ＤＲＸ  Ｉｎａｃｔｉｖｉｔｙ  Ｔｉｍｅｒがタイムアウトした後に、ＵＥが直接的に長ＤＲＸ周期を使用し、ＤＲＸ  Ｉｎａｃｔｉｖｉｔｙ  Ｔｉｍｅｒが運行している時にＵＥがＤＲＸ  ｃｏｍｍａｎｄ  ＭＡＣ  ＣＥを受信すると、ＵＥも長ＤＲＸ周期を使用することに切り替える。
【００８２】
ＵＥが前記静的有効長ＤＲＸ周期使用指示を受信した時に、ＵＥが長ＤＲＸ周期を使用していると、次回のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止して長ＤＲＸ周期を使用し、
例えば、図６における「静的有効長ＤＲＸ周期使用指示を採用する（３）」のサブグラフに示すように、ＵＥが長ＤＲＸ周期にある時に、静的有効長ＤＲＸ周期使用指示を受信すると、以後のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが直接的に長ＤＲＸ周期を使用する。
【００８３】
基地局により送信された長ＤＲＸ周期使用指示が動的有効であれば、ＵＥは該動的有効長ＤＲＸ周期使用指示を受信した後に、予め設定された時間内のみに短ＤＲＸ周期の使用を停止して長ＤＲＸ周期のみを使用し、予め設定された時間が切れた後に短ＤＲＸ周期の使用を回復する。予め設定された時間は、サブフレームの整数倍、或いは長ＤＲＸ周期の整数倍、或いはＤＲＸ  Ｉｎａｃｔｉｖｉｔｙ  Ｔｉｍｅｒのタイムアウト回数又はＵＥがＤＲＸ  ｃｏｍｍａｎｄ  ＭＡＣ  ＣＥを受信した回数であってもよく、ネットワーク側と端末により事前に約束される。実現の時に、基地局はＲＲＣ専用シグナリング又はＭＡＣシグナリングによってＵＥに予め設定された時間を設定する。
【００８４】
ＵＥが動的有効長ＤＲＸ周期使用指示を受信した後、ＵＥが長ＤＲＸ周期を使用し始める時に、ＵＥが動的長ＤＲＸ周期使用タイマーを設置してカウントし始め、或いはＵＥが長ＤＲＸ周期を使用し始めた後の１回目のＤＲＸ  Ｉｎａｃｔｉｖｉｔｙ  Ｔｉｍｅｒがタイムアウトし又は１回目のＵＥがＤＲＸ  ｃｏｍｍａｎｄ  ＭＡＣ  ＣＥを受信する時に、ＵＥが動的長ＤＲＸ周期使用タイマーを設置してカウントし始める。
【００８５】
予め設定された時間の設置はサブフレームの整数倍の方式を採用すると、１つのサブフレームを経るごとに、前記動的長ＤＲＸ周期使用タイマーが１をプラスし、或いは複数のサブフレームを経た後にタイマーが１をプラスしてもよく、
予め設定された時間の設置は長ＤＲＸ周期の整数倍の方式を採用すると、ＵＥが１つのＤＲＸ長周期を使用するごとに、前記動的長ＤＲＸ周期使用タイマーが１をプラスし、或いはいくつかＤＲＸ長周期を経るごとに、タイマーがさらに１をプラスし、
予め設定された時間の設置はＤＲＸ  Ｉｎａｃｔｉｖｉｔｙ  Ｔｉｍｅｒのタイムアウト回数又はＵＥがＤＲＸ  ｃｏｍｍａｎｄ  ＭＡＣ  ＣＥを受信した回数を採用すると、ＵＥが１回のＤＲＸ  Ｉｎａｃｔｉｖｉｔｙ  Ｔｉｍｅｒタイムアウトを発生させ或いはＵＥが１回のＤＲＸ  ｃｏｍｍａｎｄ  ＭＡＣ  ＣＥを受信するごとに、前記動的長ＤＲＸ周期使用タイマーが１をプラスし、或いは複数回のＤＲＸ  Ｉｎａｃｔｉｖｉｔｙ  Ｔｉｍｅｒタイムアウトを発生しさせた後に動的長ＤＲＸ周期使用タイマーが１をプラスし、或いは複数回のＤＲＸ  ｃｏｍｍａｎｄ  ＭＡＣ  ＣＥを受信した後に動的長ＤＲＸ周期使用タイマーが１をプラスしてもよい。
【００８６】
次に、予め設定された時間がＤＲＸ  Ｉｎａｃｔｉｖｉｔｙ  Ｔｉｍｅｒのタイムアウト回数又はＵＥがＤＲＸ  ｃｏｍｍａｎｄ  ＭＡＣ  ＣＥを受信した回数であることを例として説明し、他の２種類の予め設定された時間はいずれも参照して実現することができる。
【００８７】
基地局は、従来のＲＲＣシグナリングＲＲＣＣｏｎｎｅｃｔｉｏｎＲｅｃｏｎｆｉｇｕｒａｔｉｏｎのＩＥ  ＭＡＣ−ＭａｉｎＣｏｎｆｉｇにおけるＤＲＸ設定パラメータにＤｙｎａｍｉｃａｌＬｏｎｇＤＲＸＣｙｃｌｅＥｎａｂｌｅＴｉｍｅｒを増加することができ、次の例に示すように、
ＤＲＸ−Ｃｏｎｆｉｇ  ：：＝          ＣＨＯＩＣＥ  ｛
ｒｅｌｅａｓｅ                     ＮＵＬＬ、
ｓｅｔｕｐ                  ＳＥＱＵＥＮＣＥ  ｛
ｏｎＤｕｒａｔｉｏｎＴｉｍｅｒ  ＥＮＵＭＥＲＡＴＥＤ  ｛
ｐｓｆ１、  ｐｓｆ２、  ｐｓｆ３、  ｐｓｆ４、  ｐｓｆ５、  ｐｓｆ６、
ｐｓｆ８、  ｐｓｆ１０、  ｐｓｆ２０、  ｐｓｆ３０、  ｐｓｆ４０、
ｐｓｆ５０、  ｐｓｆ６０、  ｐｓｆ８０、  ｐｓｆ１００、
ｐｓｆ２００｝、
……
ＤｙｎａｍｉｃａｌＬｏｎｇＤＲＸＣｙｃｌｅＥｎａｂｌｅＴｉｍｅｒ    ＩＮＴＥＧＥＲ  （１．．６４）
……
｝
｝
そのうち、ＤｙｎａｍｉｃａｌＬｏｎｇＤＲＸＣｙｃｌｅＥｎａｂｌｅＴｉｍｅｒは前記予め設定された時間であり、その値の範囲がネットワーク側とＵＥにより事前に約束され、上記の１〜６４は一例である。
【００８８】
或いは基地局はＭＡＣシグナリングに前記予め設定された時間を伝送してもよく、例えば新しいＭＡＣ  ＣＥを増加して前記予め設定された時間をキャリングし、値の範囲が１〜６４であることを仮定すると、新しいＭＡＣ  ＣＥは１つのみのＢｙｔｅ長さを必要とし、且つ従来のＬＣＩＤ（Ｌｏｇｉｃａｌ  Ｃｈａｎｎｅｌ  ＩＤ、ロジックチャネル識別子）表に対応する名称ＤｙｎａｍｉｃａｌＬｏｎｇＤＲＸＣｙｃｌｅＥｎａｂｌｅＴｉｍｅｒ（表１に示す）を増加して、ＵＥにＭＡＣ  ＰＤＵ（Ｐｒｏｔｏｃｏｌ  Ｄａｔａ  Ｕｎｉｔ、プロトコルデータユニット）に名がＤｙｎａｍｉｃａｌＬｏｎｇＤＲＸＣｙｃｌｅＥｎａｂｌｅＴｉｍｅｒであるＭＡＣ  ＣＥを含むことを提示することに用いられ、ＵＥは該ＬＣＩＤを読み取ったら、受信したＭＡＣ  ＰＤＵから対応するＤｙｎａｍｉｃａｌＬｏｎｇＤＲＸＣｙｃｌｅＥｎａｂｌｅＴｉｍｅｒを取得することができると分かり、
【００８９】
【表１】
0005946585.tif 000002
【００９０】
基地局により送信された長ＤＲＸ周期使用指示が動的有効であれば、ＵＥは指示を受信したタイミングに基づいて異なる処理を行い、
ＵＥが前記動的有効長ＤＲＸ周期使用指示を受信した時に、ＵＥが短ＤＲＸ周期を使用していると、次回のＤＲＸ周期から、ＵＥが短ＤＲＸ周期の使用を停止して長ＤＲＸ周期を使用し、前記予め設定された時間が切れた後の最近１回のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した時に、ＵＥが短ＤＲＸ周期の使用を回復し、
例えば、
基地局がＵＥのために設定したＤｙｎａｍｉｃａｌＬｏｎｇＤＲＸＣｙｃｌｅＥｎａｂｌｅＴｉｍｅｒ＝１と仮定し、ネットワーク側とＵＥとが、ＤＲＸ  Ｉｎａｃｔｉｖｉｔｙ  Ｔｉｍｅｒのタイムアウト回数（回数が１である）又はＵＥがＤＲＸ  ｃｏｍｍａｎｄ  ＭＡＣ  ＣＥを受信した回数（回数が１である）を予め設定された時間（以下同じ）とすることを事前に約束し、図７ａにおける動的有効長ＤＲＸ周期使用指示を採用する（１．１）と（１．２）に示すように、
（１．１）と（１．２）はそれぞれ前記した２種類のＤｙｎａｍｉｃａｌＬｏｎｇＤＲＸＣｙｃｌｅＥｎａｂｌｅＴｉｍｅｒの計時開始方式に対応し、（１．１）はＵＥが長ＤＲＸ周期を使用し始める時からＤｙｎａｍｉｃａｌＬｏｎｇＤＲＸＣｙｃｌｅＥｎａｂｌｅＴｉｍｅｒが計時し始めることに対応し、（１．２）はＵＥが長ＤＲＸ周期を使用し始めた後の１回目のＤＲＸ  Ｉｎａｃｔｉｖｉｔｙ  Ｔｉｍｅｒがタイムアウトし又は１回目のＵＥがＤＲＸ  ｃｏｍｍａｎｄ  ＭＡＣ  ＣＥを受信する時からＤｙｎａｍｉｃａｌＬｏｎｇＤＲＸＣｙｃｌｅＥｎａｂｌｅＴｉｍｅｒが計時し始めることに対応し、
（１．１）と（１．２）に示すように、ＵＥが動的有効長ＤＲＸ周期使用指示を受信したから、ＵＥが短ＤＲＸ周期の使用を停止し、長ＤＲＸ周期を使用し始め、ＤｙｎａｍｉｃａｌＬｏｎｇＤＲＸＣｙｃｌｅＥｎａｂｌｅＴｉｍｅｒの計時が１に達した（最大値に達し、又はタイムアウトと称する）後、ＵＥが短ＤＲＸ周期の使用を回復し、ただし、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信すると、いずれもＤｙｎａｍｉｃａｌＬｏｎｇＤＲＸＣｙｃｌｅＥｎａｂｌｅＴｉｍｅｒのカウントが１をプラスする。
【００９１】
ＵＥが前記動的有効長ＤＲＸ周期使用指示を受信した時に、ＤＲＸ  Ｉｎａｃｔｉｖｉｔｙ  Ｔｉｍｅｒが運行していると、ＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止して長ＤＲＸ周期を使用し、前記予め設定された時間が切れた後の最近１回のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した時に、ＵＥが短ＤＲＸ周期の使用を回復し、図７ｂにおける動的有効長ＤＲＸ周期使用指示を採用する（２）に示す。
【００９２】
ＵＥが前記動的有効長ＤＲＸ周期使用指示を受信した時に、ＵＥが長ＤＲＸ周期を使用していると、次回のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を停止して長ＤＲＸ周期を使用し、前記予め設定された時間が切れた後の最近１回のＤＲＸ  Ｉｎａｃｔｉｖｉｔｙ  Ｔｉｍｅｒがタイムアウトし又はＵＥがＤＲＸ  ｃｏｍｍａｎｄ  ＭＡＣ  ＣＥを受信した後に、ＵＥが短ＤＲＸ周期の使用を回復し、図７ｂにおける動的有効長ＤＲＸ周期使用指示を採用する（３）に示す。他の示例において、ＵＥは該指示を無効と見なすことができる。
【００９３】
ＵＥが基地局により送信された短ＤＲＸ周期使用指示を受信すると、ＵＥが短ＤＲＸ周期を使用し、
ＵＥが短ＤＲＸ周期使用指示を受信した後に、ＵＥがこの前に長ＤＲＸ周期使用指示を受信したことがあると、長ＤＲＸ周期使用指示が無効になり、ＵＥが短ＤＲＸ周期の使用を回復し、
或いはＵＥが短ＤＲＸ周期設定パラメータを含むＲＲＣ接続再設定シグナリング（ＲＲＣ  ｃｏｎｎｅｃｔｉｏｎ  ｒｅｃｏｎｆｉｇｕｒａｔｉｏｎ）を受信した後に、ＵＥがこの前に長ＤＲＸ周期使用指示を受信したことがあると、長ＤＲＸ周期使用指示が無効になり、ＵＥがＲＲＣ接続再設定シグナリングに含まれた短ＤＲＸ周期設定パラメータに応じて短ＤＲＸ周期を使用する。
【００９４】
例えば、図８に示すように、ＵＥはＤＲＸ周期を使用し、又はＤＲＸ  Ｉｎａｃｔｉｖｉｔｙ  Ｔｉｍｅｒが運行している時に、ＵＥは短ＤＲＸ周期使用指示を受信し、或いは短ＤＲＸ周期設定パラメータを含むＲＲＣ接続再設定シグナリングを受信したにもかかわらず、ＵＥは最近１回のＤＲＸ  Ｉｎａｃｔｉｖｉｔｙ  Ｔｉｍｅｒがタイムアウトし或いはＵＥがＤＲＸ  ｃｏｍｍａｎｄ  ＭＡＣ  ＣＥを受信した後に、短ＤＲＸ周期の使用を回復し、従来のＤＲＸメカニズムに応じて運行し、まず元のＤＲＸ周期運行回数に応じて運行し、ＤＲＸ  ｓｈｏｒｔ  Ｃｙｃｌｅ  Ｔｉｍｅｒがタイムアウトした後に長ＤＲＸ周期を使用し、
区別は、ＵＥが短ＤＲＸ周期使用指示を受信すると、ＵＥが依然として元の短ＤＲＸ周期設定パラメータに応じて短ＤＲＸ周期を使用し、ＵＥが短ＤＲＸ周期設定パラメータを含むＲＲＣ接続再設定シグナリングを受信すると、ＵＥがＲＲＣ接続再設定シグナリングにおける短ＤＲＸ周期設定パラメータに応じて短ＤＲＸ周期を使用することにある。
【００９５】
ネットワーク側とＵＥは静的有効長ＤＲＸ周期使用指示のみを使用し、又は動的有効長ＤＲＸ周期使用指示のみを使用し、又は２種類の長ＤＲＸ周期使用指示をともに使用することを事前に約束することができ、
静的有効長ＤＲＸ周期使用指示のみを使用し、又は動的有効長ＤＲＸ周期使用指示のみを使用すると、下記方式で長ＤＲＸ周期使用指示と短ＤＲＸ周期使用指示を約束することができ、
【００９６】
【表２】
0005946585.tif 000003
【００９７】
表２の方法で、１ビットのみで長ＤＲＸ周期使用指示と短ＤＲＸ周期使用指示を示すことができ、表２はただ例の１つであり、さらに他の示す方法があり、表３に示すように、
【００９８】
【表３】
0005946585.tif 000004
【００９９】
２種類の長ＤＲＸ周期使用指示をともに使用すると、表４に示す方式で長ＤＲＸ周期使用指示と短ＤＲＸ周期使用指示を識別し、
【０１００】
【表４】
0005946585.tif 000005
【０１０１】
表４の方法で、２ビットのみで静的有効、動的有効長ＤＲＸ周期使用指示と短ＤＲＸ周期使用指示を示すことができる。
【０１０２】
長ＤＲＸ周期使用指示又は短ＤＲＸ周期使用指示の送信はＲＲＣ専用シグナリング或いはＭＡＣシグナリングによってキャリングすることができる。
【０１０３】
ＲＲＣ専用シグナリングによってキャリングすることは以下を含み、従来のＲＲＣシグナリングにＩＥを新規作成してキャリングし、例えばＲＲＣ  ｃｏｎｎｅｃｔｉｏｎ  ｓｅｔｕｐ  ｃｏｍｐｌｅｔｅ（ＲＲＣ接続完成）情報、Ｓｅｃｕｒｉｔｙ  ｍｏｄｅ  ｃｏｍｐｌｅｔｅ（安全モード完成）情報、ＲＲＣ  ｃｏｎｎｅｃｔｉｏｎ  ｒｅｃｏｎｆｉｇｕｒａｔｉｏｎ  ｃｏｍｐｌｅｔｅ（ＲＲＣ接続再設定完成）情報、ＲＲＣ  ｃｏｎｎｅｃｔｉｏｎ  ｒｅｃｏｎｆｉｇｕｒａｔｉｏｎ  ｃｏｍｐｌｅｔｅ（ＲＲＣ接続再構成完成）情報等のアップリンクＲＲＣ情報にＩＥ（Ｉｎｆｏｒｍａｔｉｏｎ  Ｅｌｅｍｅｎｔ、情報要素）を新規作成して前記指示をキャリングし、
又はＲＲＣシグナリングを新規作成してキャリングする。
【０１０４】
ＭＡＣシグナリングによってキャリングするのは従来のＭＡＣ  ＣＥのリザーブビットにキャリングすることができ、例えば、Ｔｉｍｉｎｇ  Ａｄｖａｎｃｅ  Ｃｏｍｍａｎｄ（タイミングアドバンスコマンド）  ＭＡＣ  ＣＥにおけるリザーブビットにキャリングし、
従来のＴｉｍｉｎｇ  Ａｄｖａｎｃｅ  Ｃｏｍｍａｎｄ  ＭＡＣ  ＣＥの構造は図９に示す。
【０１０５】
その最初の２つのリザーブビットは長ＤＲＸ周期使用指示と短ＤＲＸ周期使用指示をキャリングすることに用いることができる。
【０１０６】
ネットワーク側とＵＥとはＴｉｍｉｎｇ  Ａｄｖａｎｃｅ  Ｃｏｍｍａｎｄ  ＭＡＣ  ＣＥの最初の２つのリザーブビットで長ＤＲＸ周期使用指示と短ＤＲＸ周期使用指示をキャリングすることを事前に約束し、例えば、表３又は表４の方式を採用することができ、最初の２つのリザーブビットが００であると、長ＤＲＸ周期使用指示と短ＤＲＸ周期使用指示を送信していないことを示し、００ではないと、長ＤＲＸ周期使用指示又は短ＤＲＸ周期使用指示を送信したことを示す。
【０１０７】
ＭＡＣシグナリングによってキャリングするのはさらにＭＡＣ  ＣＥを新規作成して長ＤＲＸ周期使用指示又は短ＤＲＸ周期使用指示をキャリングすることもでき、
例えば、新しいＭＡＣ  ＣＥを設計し、１つのみのＢｙｔｅ長さを必要とし、且つ従来のＬＣＩＤ表に対応する名称ＤｙｎａｍｉｃａｌＬｏｎｇＳｈｏｒｔＤＲＸＣｙｃｌｅ（表５に示す）を増加して、ＵＥにＭＡＣ  ＰＤＵ（Ｐｒｏｔｏｃｏｌ  Ｄａｔａ  Ｕｎｉｔ、プロトコルデータユニット）に名がＤｙｎａｍｉｃａｌＬｏｎｇＳｈｏｒｔＤＲＸＣｙｃｌｅであるＭＡＣ  ＣＥを含むことを提示することに用いられ、ＵＥは該ＬＣＩＤを読み取った後に、受信したＭＡＣ  ＰＤＵから対応するＤｙｎａｍｉｃａｌＬｏｎｇＳｈｏｒｔＤＲＸＣｙｃｌｅを取得することができると分かり、
【０１０８】
【表５】
0005946585.tif 000006
【０１０９】
長ＤＲＸ周期使用指示又は短ＤＲＸ周期使用指示を前記の動的有効長ＤＲＸ周期使用の予め設定された時間と結合して、同一のＭＡＣ  ＣＥでキャリングすることもできる。
【０１１０】
以上の実施例はＵＭＴＳシステムに応用することもできる。
【０１１１】
一般の当業者は、上記方法における全部又は一部のステップをプログラムによって関連ハードウェアに命令を出して完成させることができ、前記プログラムがコンピュータ読み取り可能な記憶媒体、例えば読取り専用メモリ、ディスク又は光ディスク等に記憶してもよいと理解することができる。選択肢として、上記実施例の全部又は一部のステップが１つ又は複数の集積回路により実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【０１１２】
当然、本発明は更に他の複数の種の実施例を有してもよく、本発明の趣旨とその実質を逸脱しない場合に、本分野に詳しい当業者は本発明に基づいて各種の相応する改定又は変形を行うことができ、これらの改定又は変形はいずれも本発明の請求の範囲の保護範囲に含まれる。
【産業上の利用可能性】
【０１１３】
本方案は、ＤＲＸの効果をよく発揮することができ、ネットワーク側に対して、低オーバーヘッドでＤＲＸ周期を動的に設定することができ、端末に対して、異なるデータ業務の節電需要によく適応することができ、且つ、方法が柔軟的で、簡単に実現できる。
【図１】
0005946585.tif 000007
【図２】
0005946585.tif 000008
【図３】
0005946585.tif 000009
【図４】
0005946585.tif 000010
【図５】
0005946585.tif 000011
【図６】
0005946585.tif 000012
【図７ａ】
0005946585.tif 000013
【図７ｂ】
0005946585.tif 000014
【図８】
0005946585.tif 000015
【図９】
0005946585.tif 000016